(57)【要約】  本発明は、ユーザーデバイス及び無線通信システムにおいてユーザーデバイスの伝送を制御するための方法を提供する。ユーザーデバイスは、アクセス（ＡＳ）層を実行するように構成される。この方法は、上位層からＡＳ層でパケットに対する第１の指示及び第２の指示を受信し、ここで、第１の指示がパケットデータ制御プロトコル（ＰＤＣＰ）複製を実行するかどうかを指示し、第２の指示がリリース１５の特徴を使用するかどうかを指示することと、第１の指示がＰＤＣＰ複製を実行することを指示し、第２の指示がリリース１５の特徴を使用しないことを指示する場合、ＡＳ層がＰＤＣＰ複製を実行せず、ＡＳ層がリリース１５の特徴を使用しないように制御することとを含む。
2021516903.tif 000002
【特許請求の範囲】
【請求項１】
無線通信システムにおける伝送を制御するためのユーザーデバイスであって、
メモリと、
送受信機と、
前記メモリ及び前記送受信機に接続されるプロセッサと、を備え、
前記プロセッサは、
アクセスストレータム（ＡＳ：Ａｃｅｓｓ  ｓｔｒａｔｕｍ）層を実現して、上位層からＡＳ層でパケットに対する第１の指示及び第２の指示を受信し、第１の指示がＰＤＣＰ複製を実行することを指示し、第２の指示がリリース１５の特徴を使用しないことを指示する場合、ＡＳ層がＰＤＣＰ複製を実行せず、ＡＳ層がリリース１５の特徴を使用しないように制御するように構成され、
第１の指示がパケットデータ制御プロトコルＰＤＣＰ複製を実行するかどうかを指示し、第２の指示がリリース１５の特徴を使用するかどうかを指示する
ことを特徴とするユーザーデバイス。
【請求項２】
前記第１の指示は、近接度に基づくサービスＰｒｏＳｅの各パケット信頼性ＰＰＰＲ指示である
ことを特徴とする請求項１に記載のユーザーデバイス。
【請求項３】
前記ＰＰＰＲ指示が１〜８の範囲の８つの値を有するＰＰＰＲを含み、ＰＰＰＲの値が閾値よりも小さい場合、第１の指示がＰＤＣＰ複製を実行することを指示する
ことを特徴とする請求項２に記載のユーザーデバイス。
【請求項４】
前記第２の指示は、リリースバージョン指示であり、前記ＡＳ層がリリース１４特徴又はリリース１５の特徴を使用することを指示する
ことを特徴とする請求項１〜３のいずれか１項に記載のユーザーデバイス。
【請求項５】
リリース１５の特徴を使用するかどうかを指示する第２の指示は、さらに、リリース１４の非互換な特徴を使用するかどうかを指示する第２の指示を含む
ことを特徴とする請求項１〜３のいずれか１項に記載のユーザーデバイス。
【請求項６】
前記リリース１４の非互換な特徴がリリース１５の特徴に関連する
ことを特徴とする請求項５に記載のユーザーデバイス。
【請求項７】
前記第２の指示がリリース１５の特徴を使用することを指示する場合、第２の指示がリリース１５フォーマットを使用することを指示し、レートマッチング、伝送ブロックサイズＴＢＳスケーリング及び／又は６４直交振幅変調６４ＱＡＭをサポートする変調および符号化方式ＭＣＳテーブルを使用して、対応するＶ２Ｘパケットを伝送することを含む
ことを特徴とする請求項１〜６のいずれか１項に記載のユーザーデバイス。
【請求項８】
無線通信システムにおいてユーザーデバイスの伝送を制御するための方法であって、
前記ユーザーデバイスがアクセスＡＳ層を実現するように構成され、
前記方法は、
上位層からＡＳ層でパケットに対する第１の指示及び第２の指示を受信し、第１の指示がパケットデータ制御プロトコルＰＤＣＰ重複を実行するかどうかを指示し、第２の指示がリリース１５の特徴を使用するかどうかを指示することと、
第１の指示がＰＤＣＰ複製を実行することを指示し、第２の指示がリリース１５の特徴を使用しないことを指示する場合、ＡＳ層がＰＤＣＰ複製を実行せず、ＡＳ層がリリース１５の特徴を使用しないように制御することとを含む
ことを特徴とする方法。
【請求項９】
前記第１の指示は、近接度に基づくサービスＰｒｏＳｅの各パケット信頼性ＰＰＰＲ指示である
ことを特徴とする請求項８に記載の方法。
【請求項１０】
前記ＰＰＰＲ指示が１〜８の範囲の８つの値を有するＰＰＰＲを含み、ＰＰＰＲの値が閾値よりも小さい場合、第１の指示がＰＤＣＰ複製を実行することを指示する
ことを特徴とする請求項９に記載の方法。
【請求項１１】
前記第２の指示は、リリースバージョン指示であり、前記ＡＳ層がリリース１４特徴又はリリース１５の特徴を使用することを指示する
ことを特徴とする請求項８〜１０のいずれか１項に記載の方法。
【請求項１２】
リリース１５の特徴を使用するかどうかを指示する第２の指示は、さらに、リリース１４の非互換な特徴を使用するかどうかを指示する第２の指示を含む
ことを特徴とする請求項８〜１０のいずれか１項に記載の方法。
【請求項１３】
前記リリース１４の非互換な特徴がリリース１５の特徴に関連する
ことを特徴とする請求項１２に記載の方法。
【請求項１４】
前記第２の指示がリリース１５の特徴を使用することを指示する場合、第２の指示がリリース１５フォーマットを使用することを指示し、レートマッチング、伝送ブロックサイズＴＢＳスケーリング及び／又は６４直交振幅変調６４ＱＡＭをサポートする変調および符号化方式ＭＣＳテーブルを使用して、対応するＶ２Ｘパケットを伝送することを含む
ことを特徴とする請求項８〜１３のいずれか１項に記載の方法。
【請求項１５】
コンピュータによって実行されたときに、前記コンピュータに請求項８〜１４のいずれか１項に記載の方法を実行させる命令を記憶した
ことを特徴とする非一時的機械可読記憶媒体。
【請求項１６】
プロセッサと、コンピュータプログラムを記憶するように構成されたメモリとを備える端末装置であって、
前記プロセッサは、前記メモリに記憶されたコンピュータプログラムを実行して、請求項８〜１４のいずれか１項に記載の方法を実行するように構成される
ことを特徴とする端末装置。
【発明の詳細な説明】
【技術分野】
【０００１】
本開示は、通信システム分野に関し、特に、ユーザーデバイス及び無線通信システムにおいてその伝送の制御方法に関する。
【背景技術】
【０００２】
無線通信システムの要求を構成する場合、遅延や信頼性が重要な役割を果たす。パケットデータ制御プロトコル(ＰＤＣＰ)複製は、信頼性を向上させ、潜在的に遅延を低減するように構成される。
【０００３】
低遅延及び高信頼性を実現するために、ユーザーデバイス及び無線通信システムにおいてユーザーデバイスの伝送を制御するための方法に使用される新しい技術案を提供する必要がある。
【発明の概要】
【０００４】
本開示の目的は、低遅延及び高信頼性を実現するために、ユーザーデバイス及び無線通信システムにおいてユーザーデバイスの伝送を制御するための方法を提供することである。
【０００５】
本開示の第１の態様は、無線通信システムにおける伝送を制御するためのユーザーデバイスを提供し、メモリと、送受信機と、該メモリ及び送受信機に接続されるプロセッサとを備える。プロセッサは、アクセスストレータム（ＡＳ：Ａｃｅｓｓ  ｓｔｒａｔｕｍ）層を実現して、上位層からＡＳ層でパケットに対する第１の指示及び第２の指示を受信し、ここで、第１の指示がパケットデータ制御プロトコル（ＰＤＣＰ）複製を実行するかどうかを指示し、第２の指示がリリース１５の特徴を使用するかどうかを指示し、第１の指示がＰＤＣＰ複製を実行することを指示し、第２の指示がリリース１５の特徴を使用しないことを指示する場合、ＡＳ層がＰＤＣＰ複製を実行せず、ＡＳ層がリリース１５の特徴を使用しないように制御するように構成される。
【０００６】
本開示の第２の態様は、無線通信システムにおいてユーザーデバイスの伝送を制御するための方法を提供する。ユーザーデバイスがアクセス（ＡＳ）層を実現するように構成される。この方法は、上位層からＡＳ層でパケットに対する第１の指示及び第２の指示を受信し、ここで、第１の指示がパケットデータ制御プロトコル（ＰＤＣＰ）重複を実行するかどうかを指示し、第２の指示がリリース１５の特徴を使用するかどうかを指示することと、第１の指示がＰＤＣＰ複製を実行することを指示し、第２の指示がリリース１５の特徴を使用しないことを指示する場合、ＡＳ層がＰＤＣＰ複製を実行せず、ＡＳ層がリリース１５の特徴を使用しないように制御するように構成されることとを含む。
【０００７】
本開示の第３の態様は、命令が記憶された非一時的機械可読記憶媒体を提供し、命令は、コンピュータによって実行されたときに、コンピュータに上記の方法を実行させる。
【０００８】
本開示の第４の態様は、プロセッサと、コンピュータプログラムを記憶するメモリとを有する端末装置を提供する。プロセッサは、メモリに記憶されたコンピュータプログラムを実行して、上述の方法を実行するように構成される。
【図面の簡単な説明】
【０００９】
本開示または関連技術の実施例をより明確に説明するために、以下の図面が、簡単に実施例において説明される。図面は、本開示のいくつかの実施例にすぎず、当業者は、これらの図面から、他の図面を得ることができることは明らかである。
【図１】本開示の実施例における無線通信システムにおける伝送を制御するためのユーザーデバイスのブロック図である。
【図２】本開示の実施例における無線通信システムにおいてユーザーデバイスの伝送を制御するための方法のフローチャートである。
【図３】本開示の実施例における無線通信システムのブロック図である。
【発明を実施するための形態】
【００１０】
以下、本開示の実施例における技術的内容、構造的特徴、並びに、それらによって実現される目的及び効果について、図面を参照しながら詳細に説明する。特に、本発明の実施例における用語は、単に特定の実施例を説明する目的のためのものであり、本発明を限定するものではない。
【００１１】
図１は、いくつかの実施例において、本開示の実施例による無線通信システムにおける伝送を制御するためのユーザデバイス(ＵＥ)１０が提供されることを示す。ＵＥ１０は、プロセッサ１１、メモリ１２、及び送受信機１３を含みうる。プロセッサ１１は、本明細書で説明される提案される機能、プロセス、及び／又は方法を実装するように構成され得る。無線インターフェースプロトコルの層は、プロセッサ１１に実装され得る。メモリ１２は、プロセッサ１１に動作可能に結合され、プロセッサ１１を動作させるための様々な情報を記憶する。送受信機１３は、プロセッサ１１に動作可能に結合され、送受信機１３は、無線信号を送信及び／又は受信する。
【００１２】
プロセッサ１１は、特定用途向け集積回路(ＡＳＩＣ)、他のチップセット、論理回路、及び／又はデータ処理装置を含んでもよい。メモリ１２は、リードオンリーメモリ(ＲＯＭ)、ランダムアクセスメモリ(ＲＡＭ)、フラッシュメモリ、メモリカード、記憶媒体、及び／又は他の記憶装置を含んでもよい。送受信機１３は、無線周波数信号を処理するためのベースバンド回路を含んでもよい。実施例がソフトウェアで実装される場合、本明細書で説明される技術は、本明細書で説明される機能を実行するモジュール(例えば、プログラム、機能等)と共に実装され得る。これらのモジュールは、メモリ１２に記憶され、プロセッサ１１によって実行され得る。メモリ１２は、プロセッサ１１内に実装されてもよく、プロセッサ１１の外部に実装されてもよく、メモリ１２は、当該技術分野で既知の様々な方法によってプロセッサ１１に通信可能に結合されてもよい。
【００１３】
ＵＥ間の通信は、第３世代パートナーシッププロジェクト(３ＧＰＰ)リリース１４、１５及びその開発されたサイドリンク技術による車両間(Ｖ２Ｖ)、車両間歩行者(Ｖ２Ｐ)及び車両間基盤／ネットワーク(Ｖ２Ｉ／Ｎ)を含む、車両間の全てのエンティティ(Ｖ２Ｘ)通信に関する。ＵＥは、ＰＣ５インタフェースなどのサイドリンクインタフェースを介して互いに直接通信する。
【００１４】
いくつかの実施例において、プロセッサ１１は、アクセス（ＡＳ）層を実現して、上位層からＡＳ層でパケットに対する第１の指示及び第２の指示を受信し、ここで、第１の指示がパケットデータ制御プロトコル（ＰＤＣＰ）複製を実行するかどうかを指示し、第２の指示がリリース１５の特徴を使用するかどうかを指示し、第１の指示がＰＤＣＰ複製を実行することを指示し、第２の指示がリリース１５の特徴を使用しないことを指示する場合、ＡＳ層がＰＤＣＰ複製を実行せず、ＡＳ層がリリース１５の特徴を使用しないように制御するように構成される。
【００１５】
いくつかの実施例において、第１の指示は、近接度に基づくサービス（ＰｒｏＳｅ）の各パケット信頼性（ＰＰＰＲ）指示である。具体的に、ＰＰＰＲ指示は、１〜８の範囲の８つの値を有するＰＰＰＲを含む。ＰＰＰＲの値が閾値よりも小さい場合、第１の指示がＰＤＣＰ複製を実行することを指示する。
【００１６】
いくつかの実施例において、リリース１５の特徴を使用するかどうかを指示する第２の指示は、さらに、リリース１４の非互換な特徴を使用するかどうかを指示する第２の指示を含む。具体的に、リリース１５の特徴の使用に対応してリリース１４の非互換な特徴を使用する。リリース１５の特徴を使用しないことに対応して、リリース１４の非互換な特徴を使用しない。
【００１７】
いくつかの実施例において、リリース１４の非互換な特徴がリリース１５の特徴に関連する。具体的に、リリース１４の非互換な特徴及びリリース１５の特徴は、共にリリース１５フォーマットを含み、レートマッチング、伝送ブロックサイズ（ＴＢＳ）スケーリング及び／又は６４直交振幅をサポートする変調およびコーディング方式（ＭＣＳ）テーブル変調（６４ＱＡＭ）を含む。
【００１８】
いくつかの実施例において、第２の指示がリリース１５の特徴を使用することを指示する場合、第２の指示がリリース１５フォーマットを使用することを指示し、レートマッチング、伝送ブロックサイズ（ＴＢＳ）スケーリング及び／又は６４直交振幅変調（６４ＱＡＭ）をサポートする変調及びコーディング方式（ＭＣＳ）テーブルを使用して、対応するＶ２Ｘパケットを伝送することを含む。
【００１９】
いくつかの実施例において、プロセッサ１１は、アクセス（ＡＳ）層を実現して、上位層からＡＳ層でパケット及び／又はサービスに対する第１の指示及び第２の指示を受信し、第１の指示と第２の指示との複数の組合せを決定し、ＡＳ層が第１の指示と第２の指示とのある組合せを第１の指示と第２の指示との他の組合せとするように制御する。
【００２０】
図２は、本開示の実施例による、無線通信システムにおけるＵＥ１０の伝送を制御するための方法２００を示す。
【００２１】
いくつかの実施例において、ユーザーデバイス１０がアクセス（ＡＳ）層を実現するように構成される。方法２００は、ブロック２０２において、上位層からＡＳ層でパケットに対する第１の指示及び第２の指示を受信し、ここで、第１の指示がパケットデータ制御プロトコル（ＰＤＣＰ）複製を実行するかどうかを示し、第２の指示がリリース１５の特徴を使用するかどうかを指示することと、ブロック２０４において、第１の指示がＰＤＣＰ複製を実行することを指示し、第２の指示がリリース１５の特徴を使用しないことを指示する場合、ＡＳ層がＰＤＣＰ複製を実行せず、ＡＳ層がリリース１５の特徴を使用しないように制御することとを含む。
【００２２】
いくつかの実施例において、第１の指示は、近接度に基づくサービス（ＰｒｏＳｅ）の各パケット信頼性（ＰＰＰＲ）指示である。具体的に、ＰＰＰＲ指示は、１〜８の範囲の８つの値を有するＰＰＰＲを含む。ＰＰＰＲの値が閾値よりも小さい場合、第１の指示がＰＤＣＰ複製を実行することを指示する。
【００２３】
いくつかの実施例において、リリース１５の特徴を使用するかどうかを指示する第２の指示は、さらに、リリース１４の非互換な特徴を使用するかどうかを指示する第２の指示を含む。具体的に、リリース１５の特徴の使用に対応してリリース１４の非互換な特徴を使用する。リリース１５の特徴を使用しないことに対応して、リリース１４の非互換な特徴を使用しない
いくつかの実施例において、リリース１４の非互換な特徴がリリース１５の特徴に関連する。具体的に、リリース１４の非互換な特徴及びリリース１５の特徴は、共にリリース１５フォーマットを含み、リリース１５フォーマットがレートマッチング、伝送ブロックサイズ（ＴＢＳ）スケーリング及び／又は６４直交振幅（６４ＱＡＭ）をサポートする変調およびコーディング方式（ＭＣＳ）テーブルを含む。
【００２４】
いくつかの実施例において、プロセッサ１１は、アクセス（ＡＳ）層を実現するように構成され、この方法は、上位層からアクセス（ＡＳ）層でパケット及び／又はサービスに対する第１の指示及び第２の指示を受信し、第１の指示と第２の指示との複数の組合せを決定し、ＡＳ層が第１の指示と第２の指示とのある組合せを第１の指示と第２の指示との他の組合せとするように制御することを含む。
【００２５】
いくつかの実施例において、ＡＳ層が第１の指示と第２の指示とのある組合せを第１の指示と第２の指示との他の組合せとするように制御することは、ＡＳ層が第１の指示と第２の指示との他の組合せを利用して第１の指示と第２の指示との組合せをカバーするように制御することを含む。
【００２６】
いくつかの実施例において、第１の指示は、近接度に基づくサービス（ＰｒｏＳｅ）の各パケット信頼性（ＰＰＰＲ）指示である。第２の指示は、リリースバージョン指示であり、ＡＳ層がリリース１４特徴又はリリース１５の特徴を使用するように指示する。具体的に、リリース１５の特徴の使用は、リリース１５フォーマットの使用を含み、レートマッチング、伝送ブロックサイズ（ＴＢＳ）スケーリング及び／又は６４直交振幅変調（６４ＱＡＭ）をサポートする変調及びコーディング方式（ＭＣＳ）テーブルを使用して、対応するＶ２Ｘパケットを伝送することを含む。
【００２７】
なお、いくつかのの実施例において、第１の指示と第２の指示との１つの組合せは、ＰＰＰＲの使用の特定の値とリリース１４の特徴の使用とを含む。第１の指示と第２の指示の別の組合せは、ＰＰＰＲを使用しない特定の値（複数）を含み、リリース１４の特徴を使用することを含む。
【００２８】
リリース１５ ｅＶ２ｘでは、３ＧＰＰは、以下のような要素をＡＳ層に組み込んで伝送メカニズムを決定する。ＰＰＰＲは、ＡＳ層のパケット及び／又はサービスの特定に必要とされる信頼性(たとえば、９０％、９９.９％、９９.９９％など)を示すために上位層によって提供される。ＰＰＰＲによれば、ＡＳ層は、信頼性を高めるために特定の送信メカニズム(たとえば、ＰＤＣＰ複製)が使用されるかどうかを知っている。リリースバージョン指示(名前は議論中である)は、ＡＳ層の特定のパケット及び／又はサービスのリリース１５の特徴の使用を示すために、上位層によって提供される。これにより、ＡＳ層は、リリース１５の特徴が使用されているか否かを知る。
【００２９】
したがって、ＰＰＰＲ及びリリースバージョン指示などの２つの因子について、厳密に４つの組合せが存在する。
【００３０】
組合せ１. ＰＰＰＲがＰＤＣＰ複製が必要であることを示し、さらに、リリースバージョン指示がリリース１５の特徴を使用しないことを指示する（例えば、リリース１４の非互換な特徴である）。
【００３１】
組合せ２. ＰＰＰＲがＰＤＣＰ複製が必要であることを示し、さらに、リリースバージョン指示がリリース１５の特徴を使用する可能であることを示す（例えば、リリース１４の非互換な特徴である）。
【００３２】
組合せ３. ＰＰＰＲがＰＤＣＰ複製が必要でないことを示し、さらに、リリースバージョン指示がリリース１５の特徴を使用しないことを指示する（例えば、リリース１４の非互換な特徴である）。
【００３３】
組合せ４. ＰＰＰＲがＰＤＣＰ複製が必要でないことを示し、さらに、リリースバージョン指示がリリース１５の特徴を使用する可能であることを示す（例えば、リリース１４の非互換な特徴である）。
【００３４】
組合せ１は、問題のある組合せであり、リリース１５の特徴(例えば、リリース１４の非互換な特徴)が使用されず、これは、リリース１４の伝送メカニズムが、旧リリースの１４Ｖ２Ｘ ＵＥの受信を保証するために使用されることを意味する。また、ＰＰＰＲは、ＰＤＣＰ複製が使用されることを示し、３ＧＰＰは、リリース１４において保留されたＭＡＣリンク制御識別子(ＬＣＩＤ)値を使用してＰＤＣＰ複製をサポートすることを承認し、これは、ＰＤＣＰ複製がリリース１４に完全に準拠しないことを意味する。したがって、問題は、これら２つの態様間の衝突をどのように解決するかにある。
【００３５】
より詳細には、利用可能なリリース１４のＬＣＩＤは、以下のように限定される(ＴＳ３６.３２１)。
【表１】
2021516903.tif 000003
【００３６】
保留されたＬＣＩＤについて、リリース１４のＵＥは、保留されたＬＣＩＤを識別することができないため、ＭＡＣ ＰＤＵが、保留された及び／又は無効なＬＣＩＤを含むＭＡＣサブヘッダを含む場合、ＭＡＣ ＰＤＵ全体は、ＴＳ３６.３２１に従って、破棄されることになる。ＭＡＣエンティティが、構成された下りリンクを通じて、保留された又は無効な値を含むＭＡＣエンティティＣ-ＲＮＴＩ又は半永久スケジューリングＣ-ＲＮＴＩに対するＭＡＣ ＰＤＵをＳＬ-ＳＣＨ上で割り当て又は受信すると、ＭＡＣエンティティは、受信されたＰＤＵを廃棄する。
【００３７】
また、リリース１５で限定されたＰＤＣＰ複製は、リリース１４で限定された保留ＬＣＩＤ値を利用し、特定ＭＡＣ ＰＤＵがコピーされたＭＡＣ ＳＤＵを含む限り、他のＭＡＣ ＳＤＵが有効なＬＣＩＤを含みリリース１４ ＵＥによって受信されたとしても、ＭＡＣ ＰＤＵ全体が破棄される。このように、パケット損失をもたらす。
【００３８】
ある実施例において、上位層が２つの因子(ＰＰＰＲ及びリリースバージョン指示)を提供する場合、３つの組合せのみが可能である。
【００３９】
組合せ２. ＰＰＰＲがＰＤＣＰ複製が必要であることを示し、さらに、リリースバージョン指示がリリース１５の特徴を使用する可能であることを示す（例えば、リリース１４の非互換な特徴である）。
【００４０】
組合せ３. ＰＰＰＲがＰＤＣＰ複製が必要でないことを示し、さらに、リリースバージョン指示がリリース１５の特徴を使用しないことを指示する（例えば、リリース１４の非互換な特徴である）。
【００４１】
組合せ４. ＰＰＰＲがＰＤＣＰ複製が必要でないことを示し、さらに、リリースバージョン指示がリリース１５の特徴を使用することができることを指示する（例えば、リリース１４の非互換な特徴である）。
【００４２】
組合せ１は、上位層によって除外される。
【００４３】
下位層が上位層から異なるパケット及び／又はサービスを取得する場合、異なるパケット及び／又はサービスは、以下の要素の組合せに関連付けられ得る。パケット及び／又はサービス１は、組合せ２に関連付けられる。パケット及び／又はサービス２は、組合せ３に関連付けられる。パケット及び／又はサービス３は、組合せ４に関連付けられる。
【００４４】
さらに、ＡＳ層は、別のＭＡＣ ＰＤＵを生成し、パケット及び／又はサービス１および３ならびにパケット及び／又はサービス２のためのＭＡＣ ＰＤＵが別個であることを例示するが、パケット及び／又はサービス１および３にサービスするために複数のＭＡＣ ＰＤＵを使用することが可能であり、パケット及び／又はサービス２にサービスするために複数のＭＡＣ ＰＤＵを使用することも可能である。例えば、ＭＡＣ ＰＤＵ Ａは、パケット及び／又はサービス１及び３にサービスするように構成される。ＭＡＣ ＰＤＵ Ｂは、パケット及び／又はサービス２をサービスするように構成される。ここで、ＭＡＣ ＰＤＵ Ａは、リリース１４と互換されないので、リリース１５のＵＥのみによって受信されるが、ＭＡＣ ＰＤＵ Ｂは、リリース１４と互換性があるので、リリース１４ ＵＥ及びリリース１５ ＵＥの両方によって受信され得る。
【００４５】
別の実施例において、上位層が２つの因子(ＰＰＰＲおよびリリースバージョン指示)を提供する場合、４つの組合せが依然として可能である。
【００４６】
組合せ１. ＰＰＰＲがＰＤＣＰ複製が必要であることを示し、さらに、リリースバージョン指示がリリース１５の特徴を使用しないことを指示する（例えば、リリース１４の非互換な特徴である）。
【００４７】
組合せ２. ＰＰＰＲがＰＤＣＰ複製が必要であることを示し、さらに、リリースバージョン指示がリリース１５の特徴を使用する可能であることを示す（例えば、リリース１４の非互換な特徴である）。
【００４８】
組合せ３. ＰＰＰＲがＰＤＣＰ複製が必要でないことを示し、さらに、リリースバージョン指示がリリース１５の特徴を使用しないことを指示する（例えば、リリース１４の非互換な特徴である）。
【００４９】
組合せ４. ＰＰＰＲがＰＤＣＰ複製が必要でないことを示し、さらに、リリースバージョン指示がリリース１５の特徴を使用する可能であることを示す（例えば、リリース１４の非互換な特徴である）。
【００５０】
下位層が上位層から異なるパケット及び／又はサービスを取得する場合、異なるパケット及び／又はサービスは、以下の因子の組合せに関連付けられ得る。
【００５１】
パケット及び／又はサービス１は、組合せ１に関連付けられる。パケット及び／又はサービス２は、組合せ２に関連付けられる。パケット及び／又はサービス３は、組合せ３に関連付けられる。パケット及び／又はサービス４は、組合せ４に関連付けられる。
【００５２】
ＡＳ層は、最初にパケット及び／又はサービス１の因子の組合せをカバーし、それを２または３の因子の組合せにカバーする。以下、ＡＳ層が組合せ１を組合せ２でカバーすることを想定しているが、組合せ３についても同様の手順が適用可能である。すなわち、ＡＳ層は、組合せ１を組合せ３でカバーする。
【００５３】
いくつかの実施例では、ＡＳ層は、組合せ２で組合せ１をカバーする。したがって、パケット及び／又はサービス１は、組合せ２に関連付けられる。パケット及び／又はサービス２は、組合せ２に関連付けられる。パケット及び／又はサービス３は、組合せ３に関連付けられる。パケット及び／又はサービス４は、組合せ４に関連付けられる。
【００５４】
いくつかの実施例では、ＡＳ層は、組合せ３で組合せ１をカバーする。したがって、パケット及び／又はサービス１は、組合せ３に関連付けられる。パケット及び／又はサービス２は、組合せ２に関連付けられる。パケット及び／又はサービス３は、組合せ３に関連付けられる。パケット及び／又はサービス４は、組合せ４に関連付けられる。
【００５５】
ＡＳ層は、別のＭＡＣ ＰＤＵを生成し、パケット及び／又はサービス１／２／４のＭＡＣ ＰＤＵとパケット及び／又はサービス３のＭＡＣ ＰＤＵとが分離されていることを説明するが、複数のＭＡＣ ＰＤＵを使用してパケット及び／又はサービス１／２／４をサービスすることを可能にし、複数のＭＡＣ ＰＤＵを使用してパケット及び／又はサービス３をサービスすることを可能にする。
【００５６】
例えば、ＭＡＣ ＰＤＵ Ａは、パケット及び／又はサービス１、２、及び４をサービスするように構成される。ＭＡＣ ＰＤＵ Ｂは、パケット及び／又はサービス３をサービスするように構成される。ここで、ＭＡＣ ＰＤＵ Ａは、リリース１４と互換性がないので、リリース１５のＵＥのみによって受信されるが、ＭＡＣ ＰＤＵ Ｂは、リリース１４と互換性があるので、リリース１４ ＵＥ及びリリース１５ ＵＥの両方によって受信され得る。
【００５７】
いくつかの実施例において、上位層が２つの因子（ＰＰＰＲ及びリリースバージョン指示）を提供する場合、依然として４つの組合せが可能である。
【００５８】
組合せ１. ＰＰＰＲがＰＤＣＰ複製が必要であることを示し、さらに、リリースバージョン指示がリリース１５の特徴を使用しないことを指示する（例えば、リリース１４の非互換な特徴である）。
【００５９】
組合せ２. ＰＰＰＲがＰＤＣＰ複製が必要であることを示し、さらに、リリースバージョン指示がリリース１５の特徴を使用する可能であることを示す（例えば、リリース１４の非互換な特徴である）。
【００６０】
組合せ３. ＰＰＰＲがＰＤＣＰ複製が必要でないことを示し、さらに、リリースバージョン指示がリリース１５の特徴を使用しないことを指示する（例えば、リリース１４の非互換な特徴である）。
【００６１】
組合せ４. ＰＰＰＲがＰＤＣＰ複製が必要でないことを示し、さらに、リリースバージョン指示がリリース１５の特徴を使用する可能であることを示す（例えば、リリース１４の非互換な特徴である）。
【００６２】
下位層が上位層から異なるパケット及び／又はサービスを取得する場合、異なるパケット及び／又はサービスは、以下の因子組合せに関連付けられる。
【００６３】
パケット及び／又はサービス１が組合せ１に関連付けられる。パケット及び／又はサービス２が組合せ２に関連付けられる。パケット及び／又はサービス３が組合せ３に関連付けられる。パケット及び／又はサービス４が組合せ４に関連付けられる。
【００６４】
パケット及び／又はサービス１について、ＡＳ層は、依然として上位層の指示に従い、すなわち、因子の組合せ１を維持したままである。パケット及び／又はサービス１においてＭＡＣ ＰＤＵを生成するとき、ＰＤＣＰ複製が使用され、例えば、それは、２つの複製されたＰＤＣＰ ＰＤＵ、すなわち、ＰＤＣＰ ＰＤＵ I及びIIを生成する。ＰＤＣＰ ＰＤＵ Iから生成されたＭＡＣ ＳＤＵについて、リリース１４に互換性がある、すなわち、保留されたＬＣＩＤを使用しないＬＣＩＤを使用する。ＰＤＣＰ ＰＤＵ IIから生成されたＭＡＣ ＳＤＵの場合、リリース１４とは互換性のないＬＣＩＤ (例えば、リリース１５の特徴)すなわち保留されたＬＣＩＤを使用する。
【００６５】
実施例は、パケット及び／又はサービス１が単一のＰＤＣＰ ＰＤＵのみに使用される場合に限定されず、手順を例示するためにのみ使用される。言い換えれば、複数のＰＤＣＰ ＰＤＵが、パケット及び／又はサービス１に含まれ得る。
【００６６】
ＡＳ層は、別のＭＡＣ ＰＤＵを生成し、パケット及び／又はサービス２及び４のＭＡＣ ＰＤＵを例示し、パケット及び／又はサービス１及び３のＰＤＣＰ ＰＤＵ IIから生成されたＭＡＣ ＳＤＵとパケット及び／又はサービス１のＰＤＣＰ ＰＤＵ Iから生成されたＭＡＣ ＳＤＵとは別個であることを説明するが、パケット及び／又はサービス２及び４をサービスするために複数のＭＡＣ ＰＤＵを使用することを依然として可能にし、また、パケット及び／又はサービス１のＰＤＣＰ ＰＤＵ IIから生成されたＭＡＣ ＳＤＵとパケット及び／又はサービス１のＰＤＣＰ ＰＤＵ Iから生成されたＭＡＣ ＳＤＵとは、パケット及び／又はサービス３をサービスするために複数のＭＡＣ ＰＤＵを使用することを可能にする。
【００６７】
例えば、ＭＡＣ ＰＤＵ Ａは、パケット及び／又はサービス２及び４及びパケット及び／又はサービス１のＰＤＣＰ ＰＤＵ IIから生成されたＭＡＣ ＳＤＵをサービスするように構成される。ＭＡＣ ＰＤＵ Ｂは、パケット及び／又はサービス３、及びパケット及び／又はサービス１のＰＤＣＰ ＰＤＵ IからＭＡＣ ＳＤＵを生成するに使用される。ここで、ＭＡＣ ＰＤＵ Ａは、リリース１４と互換性がないので、リリース１５のＵＥのみによって受信されるが、ＭＡＣ ＰＤＵ Ｂは、リリース１４と互換性があるので、リリース１４ ＵＥ及びリリース１５ ＵＥの両方によって受信され得る。
【００６８】
いくつかの実施例において、問題は、リリース１４互換性の伝送メカニズムとＰＤＣＰ複製とを同時にどのように有効にするかである。方式は２つのタイプに分けることができる。
【００６９】
タイプ１：上位層が、ＰＰＰＲとリリースバージョン指示の入力因子をＡＳ層に与える場合は、以下の組合せは除外する。
【００７０】
１.一方で、ＰＰＰＲは、適用及び／又は存在(または、ＰＰＰＲの特定の値は、適用及び／又は存在)され、すなわち、パケット及び／又はサービスは、信頼できる伝送を必要とする。
【００７１】
２.他方では、リリース１４互換性がある伝送メカニズムが必要であり、すなわち、リリース１５レートマッチング方式、リリース１５ ＭＣＳ／ＴＢＳテーブル、６４ＱＡＭ、または伝送ダイバーシティは使用されない。
【００７２】
タイプ２：上位層は、上記のように、ＰＰＰＲとリリースバージョン指示の入力因子を問題のある組合せでＡＳ層に提供するが、ＡＳ層は、以下のようにして問題を解決する
１.ある組合せで他方の組合せをカバーし、すなわちＡＳ層が実質的に問題となる組合せを除去する。
【００７３】
２.上位層の指示に依然として従う因子の組合せであるが、２つの複製されたＰＤＣＰ ＰＤＵは分離される。
【００７４】
ＰＤＣＰ ＰＤＵ１の場合、本実施例は、旧リリース１４のＬＣＩＤ値を使用し、かつリリース１４に互換性がある伝送メカニズムを使用する。ＰＤＣＰ ＰＤＵ２の場合、本実施例は、リリース１４によって保留されたＬＣＩＤ値を使用し、リリース１４に互換性がない(例えば、リリース１５の特徴)伝送メカニズムを使用する。
【００７５】
図３は、本開示の実施例による無線通信のための例示的なシステム７００のブロック図である。本明細書に記載される実施例は、任意の適切に構成されたハードウェア及び／又はソフトウェアを使用してシステムに実装され得る。図３は、少なくとも図示されるように互いに結合された、無線周波数(ＲＦ)回路７１０、ベースバンド回路７２０、アプリケーション回路７３０、メモリ／ストレージ７４０、ディスプレイ７５０、カメラ７６０、センサ７７０、及び入出力(Ｉ／Ｏ)インターフェース７８０を含むシステム７００を示す。
【００７６】
アプリケーション回路７３０は、限定されないが、１つ以上のシングルコア又はマルチコアプロセッサ等の回路を含み得る。プロセッサは、汎用プロセッサと、グラフィックスプロセッサおよびアプリケーションプロセッサなどの専用プロセッサとの任意の組合せを含み得る。プロセッサは、メモリ／ストレージに結合され、様々なアプリケーション及び／又はオペレーティングシステムがシステム上で動作することを可能にするために、メモリ／ストレージに記憶された命令を実行するように構成されてもよい。
【００７７】
ベースバンド回路７２０は、限定ではないが、１つまたは複数のシングルコアまたはマルチコアプロセッサなどの回路を含み得る。プロセッサは、ベースバンドプロセッサを含み得る。ベースバンド回路は、ＲＦ回路を介して１つ以上の無線ネットワークと通信することが可能な様々な無線制御機能を処理することができる。無線制御機能は、信号変調、符号化、復号化、無線周波数シフトなどを含み得るが、これらに限定されない。いくつかの実施例において、ベースバンド回路は、１つ以上の無線技術と互換性のある通信を提供し得る。例えば、いくつかの実施例において、ベースバンド回路は、進化型ユニバーサル地上無線アクセスネットワーク(ＥＵＴＲＡＮ)及び／又は他の無線メトロポリタンエリアネットワーク(ＷＭＡＮ)、無線ローカルエリアネットワーク(ＷＬＡＮ)、無線パーソナルエリアネットワーク(ＷＰＡＮ)との通信をサポートし得る。ベースバンド回路が１つ以上の無線プロトコルの無線通信をサポートするように構成される実施例は、マルチモードベースバンド回路と呼ばれ得る。
【００７８】
様々な実施例において、ベースバンド回路７２０は、厳密にはベースバンド周波数にあるとみなされない信号と共に動作するための回路を含み得る。例えば、いくつかの実施例において、ベースバンド回路は、ベースバンド周波数と無線周波数との間の中間周波数を有する信号と共に動作するための回路を含み得る。
【００７９】
ＲＦ回路７１０は、非固体媒体を介した変調された電磁放射を使用して、無線ネットワークとの通信を可能にし得る。様々な実施例において、ＲＦ回路は、無線ネットワークとの通信を容易にするためのスイッチ、フィルタ、増幅器等を含み得る。
【００８０】
様々な実施例において、ＲＦ回路７１０は、厳密には無線周波数にあるとみなされない信号と共に動作するための回路を含み得る。例えば、いくつかの実施例において、ベースバンド回路は、ベースバンド周波数と無線周波数との間の中間周波数を有する信号と共に動作するための回路を含み得る。
【００８１】
様々な実施例では、ユーザーデバイス、ｅＮＢ、又はｇＮＢに関して上記で論じられた送信機回路、制御回路、又は受信機回路は、ＲＦ回路、ベースバンド回路、及び／又はアプリケーション回路のうちの１つ又は複数に全体的に又は部分的に実装され得る。本明細書で使用される場合、「回路」は、特定用途向け集積回路(ＡＳＩＣ)、１つまたは複数のソフトウェアまたはファームウェアプログラムを実行する電子回路、プロセッサ(共有、特定用途向けまたはグループ)及び／又はメモリ(共有、特定用途向けまたはグループ)、結合された論理回路、ならびに／あるいは説明された機能を提供する他の適切なハードウェアコンポーネントのうちの一部を指すか、それらを含み得る。いくつかの実施例において、電子デバイス回路は、１つ以上のソフトウェアまたはファームウェアモジュールによって実装されてもよく、または、回路に関連付けられた機能は、１つ以上のソフトウェアまたはファームウェアモジュールによって実装されてもよい。
【００８２】
いくつかの実施例において、ベースバンド回路、アプリケーション回路、及び／又はメモリ／ストレージの構成要素の一部又は全部は、システムオンチップ(ＳＯＣ)上で一緒に実装されてもよい。
【００８３】
メモリ／ストレージ７４０は、例えば、システムのためのデータ及び／又は命令をロードおよび格納するために使用され得る。一実施例のメモリ／ストレージは、適切な揮発性メモリ(例えば、ダイナミックランダムアクセスメモリ(ＤＲＡＭ）)及び／又は不揮発性メモリ(例えば、フラッシュメモリ)の任意の組合せを含んでもよい。
【００８４】
様々な実施例において、Ｉ／Ｏインターフェース７８０は、ユーザがシステムと相互作用することを可能にするように設計された１つ以上のユーザインターフェース、及び／又は周辺コンポーネントがシステムと相互作用することを可能にするように設計された周辺コンポーネントインターフェースを含んでもよい。ユーザインターフェースは、物理キーボードまたはキーパッド、タッチパッド、スピーカ、マイクロフォンなどを含み得るが、これらに限定されない。周辺コンポーネントインターフェースは、不揮発性メモリポート、ユニバーサルシリアルバス(ＵＳＢ)ポート、オーディオジャック、及び電力インターフェースを含み得るが、これらに限定されない。
【００８５】
様々な実施例において、センサ７７０は、システムに関する環境条件及び／又は位置情報を決定するための１つ又は複数の検知デバイスを含むことができる。いくつかの実施例において、センサは、ジャイロセンサ、加速度計、近接センサ、周辺光センサ、及び位置特定ユニットを含み得るが、これらに限定されない。測位ユニットはまた、測位ネットワークの構成要素(例えば、全地球測位システム(ＧＰＳ)衛星)と通信するためのベースバンド回路及び／又はＲＦ回路の一部であり得るか、又はそれと相互作用し得る。
【００８６】
様々な実施例において、ディスプレイ７５０は、液晶ディスプレイ及びタッチスクリーンディスプレイのようなディスプレイを含んでもよい。様々な実施例において、システム７００は、ラップトップコンピューティングデバイス、タブレットコンピューティングデバイス、ネットブック、ウルトラブック、スマートフォン等であるが、これらに限定されないモバイルコンピューティングデバイスであり得る。様々な実施例において、システムは、より多い又はより少ない構成要素及び／又は異なるアーキテクチャを有してもよい。本明細書に記載の方法は、必要に応じて、コンピュータプログラムとして実装され得る。また、上記のコンピュータプログラムは、非一時的な記憶媒体等の記憶媒体に格納されてもよい。
【００８７】
本開示の実施例では、無線通信システムにおけるユーザデバイスの伝送を制御するためのユーザデバイスおよび方法が提供される。低遅延化と高信頼性化を実現することができる。本開示の実施例は、最終製品を作成するために３ＧＰＰ仕様において採用され得る技術／手順の組合せである。
【００８８】
当業者は、本開示の実施例で説明及び開示された各部、アルゴリズム及びステップが、電子ハードウェア、又はコンピュータ及び電子ハードウェアのためのソフトウェアの組合せを用いて実装されることを理解するであろう。これらの機能がハードウェアで実行されるかソフトウェアで実行されるかは、技術案の適用条件や設計要件に依存する。
【００８９】
当業者は、様々な方法を使用して、各特定の用途の機能を実装することができ、そのような実装は、本開示の範囲を超えるべきではない。当業者であれば、上記のシステム、装置、及びユニットの動作手順が実質的に同じであるため、上記の実施例のシステム、装置、及びユニットの動作手順を参照することができることを理解するであろう。説明の便宜及び簡潔にするために、これらの作業手順は詳細に説明されない。
【００９０】
本開示の実施例において開示されるシステム、装置、および方法は、他の方法で実装され得ることを理解されたい。上記の実施例は、単に例示的なものである。セルの分割は、論理機能に基づくのみであり、他の分割も実装に存在する。複数のユニットまたは構成要素が、別のシステムに組合せられてもよく、または統合されてもよい。いくつかの特徴を省略または省略することも可能である。他方、図示又は論じた相互間の結合又は直接結合又は通信接続は、電気的、機械的、又は他の形態の何らかのインターフェース、装置、又はユニットを介した間接的な結合又は通信接続であってもよい。
【００９１】
分離手段として説明するユニットは、物理的に分離されていても、されていなくてもよい。表示のための手段は、物理的な手段であってもなくても、すなわち一箇所にあってもよく、あるいは複数のネットワーク手段に分散されていてもよい。また、各装置の一部又は全部は、目的に応じて適宜選択することができる。また、各実施例における各機能部は、１つの処理部に集積されていてもよいし、物理的に独立していてもよいし、２つ以上の部が１つの処理部に集積されていてもよい。
【００９２】
ソフトウェア機能部が具現され、独立の製品として販売または使用される場合、コンピュータで読み取り可能な記録媒体に格納されてもよい。このような理解に基づいて、本発明で提案した技術的解決手段は、ソフトウェア製品の形態で具現されることができる。あるいは、従来技術にとって有益な手段の一部をソフトウェア製品として実現してもよい。コンピュータ内のソフトウェア製品は、本開示の実施例で開示されるステップの全て又は一部を実行するためのコンピューティングデバイス(例えば、パーソナルコンピュータ、サーバ、又はネットワークデバイス)に対する複数のコマンドを含む記憶媒体に記憶される。記憶媒体は、ＵＳＢディスク、モバイルハードディスク、リードオンリーメモリ(ＲＯＭ)、ランダムアクセスメモリ(ＲＡＭ)、フロッピーディスク、またはプログラムコードを記憶できる他の媒体を含む。
【００９３】
本開示は、最も実際的で好ましい実施例であると考えられるものに関連して説明されてきたが、本開示は、開示された実施例に限定されるものではなく、添付の特許請求の範囲の最も広い解釈の範囲から逸脱することなくなされた様々な構成を包含することが意図されることが理解されるべきである。
【図１】
2021516903.tif 000004
【図２】
2021516903.tif 000005
【図３】
2021516903.tif 000006
【国際調査報告】
2021516903.tif 000007
2021516903.tif 000008